(57)【要約】【課題】足の裏が直接触れる面に白癬菌の発生を防止する抗菌層を有する日用品を提供する。【解決手段】足の裏が直接接する面に、白癬菌の発生を防止する抗菌層３を形成したことから、水虫を保有する人の足の裏が日用品に直接触れても、抗菌層３が白癬菌の伝染を防止するため、他人が日用品を使用した場合に、他人が水虫になるのを未然に防止することができる。【選択図】        図１
2004174089.tif 000002
【特許請求の範囲】
【請求項１】
足の裏が直接接する面に、白癬菌の発生を防止する抗菌層を形成したことを特徴とする日用品。
【請求項２】
請求項１に記載の日用品は、スリッパやサンダル、靴、靴の中敷等の履物類であって、前記抗菌層を、繊維素材や竹、畳等に抗菌剤を含浸またはスプレーすることにより形成したことを特徴とする日用品。
【請求項３】
請求項１に記載の日用品は、トイレマットやバスマット、キッチンマット等のマット類であって、前記抗菌層を、繊維素材に抗菌剤を含浸またはスプレーすることにより形成したことを特徴とする日用品。
【発明の詳細な説明】
【０００１】
【発明の属する技術分野】
本発明は足の裏が直接触れる面に、白癬菌の発生を防止する抗菌層を形成した日用品に関する。
【０００２】
【従来の技術】
近年、抗菌処理を施した日用品が多く実用化されている（例えば特許文献１、２）。
【０００３】
【特許文献１】
特開２０００−２８７８８５号公報
【特許文献２】
特開２０００−２８１１４６号公報
【０００４】
しかしこれら日用品の多くは、雑菌の発生を防止するためのもので、水虫の原因である白癬菌に対しては有効でない。
一方日常生活で足の裏が直接触れる日用品には、スリッパやサンダル、靴及び靴の中敷等の履物類、トイレマットやバスマット、キッチンマット等のマット類がある。
これら日用品には、吸湿性を高めるため足の裏が直接触れる面に繊維等の吸湿素材が使用されており、吸湿素材は吸湿した水分を保持する性質を有することから、適度の湿気を好む細菌の格好の繁殖場所となる。
特に水虫菌と呼ばれる白癬菌は伝染性が高いことから、足に水虫を保有する人が素足で履物類を履いたり、マット類に足の裏が直接触れると、白癬菌が履物類やマット類に伝染して、履物類やマット類に白癬菌が繁殖することがある。
【０００５】
【発明が解決しようとする課題】
履物類のうち靴やブーツ等は、本人以外が履くことは少ないが、スリッパやサンダル等は他人が使用することもあることから、水虫を保有する人が履いたスリッパやサンダルを他人が使用した場合、白癬菌が他人に感染して、他人が水虫になる可能性が高い。
同様に足の裏が直接触れるマット類の場合も、水虫を保有する人が使用したマット類を他人が使用した場合、マット類に伝染した白癬菌が他人に感染して、他人が水虫になる等の問題が発生する。
【０００６】
本発明はかかる従来の問題を改善するためになされたもので、足の裏が直接触れる面に白癬菌の発生を防止する抗菌層を有する日用品を提供することを目的とするものである。
【０００７】
【課題を解決するための手段】
前記目的を達成するため本発明の日用品は、足の裏が直接接する面に、白癬菌の発生を防止する抗菌層を形成したものである。
【０００８】
前記構成により、水虫を保有する人の足の裏が日用品に直接触れても、抗菌層が白癬菌の伝染を防止するため、他人が日用品を使用した場合に、他人が水虫になるのを未然に防止することができる。
【０００９】
前記目的を達成するため本発明の日用品は、スリッパやサンダル、靴、靴の中敷等の履物類であって、抗菌層を、繊維素材や竹、畳等に抗菌剤を含浸またはスプレーすることにより形成したものである。
【００１０】
前記構成により、水虫を保有する人が使用した履物類を他人が使用した場合でも、白癬菌が履物類を介して他人に感染することがないため、特に不特定多数が使用する病院のスリッパ等に採用することにより、衛生上きわめて有効であると共に、足の裏が直接触れる面に繊維素材や竹、畳等を使用することにより通気性が増すため、抗菌効果はさらに向上する。
【００１１】
前記目的を達成するため本発明の日用品は、トイレマットやバスマット、キッチンマット等のマット類であって、前記抗菌層を、繊維素材に抗菌剤を含浸またはスプレーすることにより形成したものである。
【００１２】
前記構成により、水虫を保有する人の足の裏がマット類に直接触れても、抗菌層が白癬菌の伝染を防止するため、他人がマット類を使用した場合に、他人が水虫になるのを未然に防止することができると共に、抗菌剤に耐洗濯性の高い薬剤を使用することにより、繰り返し洗濯しても抗菌効果が低下することも少ないため、長期間安心して使用することができる。
【００１３】
【発明の実施の形態】
本発明の実施の形態を、図面を参照して詳述する。
本発明の実施の形態になる日用品としては、スリッパやサンダル、靴、ブーツ、靴の中敷等の履物類及び、トイレマットやバスマット、キッチンマット等のマット類等があり、何れの日用品にも、足の裏が直接触れる面に白癬菌の発生や増殖を防止する抗菌層が形成されている。
図１に示す日用品はスリッパよりなる履物１を示すもので、使用する人の足の大きさより大きい長円状の底部１ａと、底部１ａの前部１ｂよりほぼ中間付近まで覆うように設けられたカバー部１ｂとからなる。
底部１ｂの上面は、直接足の裏が触れるため吸湿性を有する木綿やパルプ等の天然繊維や、ポリエステルやナイロン等の合成繊維よりなる繊維素材２より形成されており、繊維素材２に抗菌処理を施すことにより、繊維素材２の内部や表面に白癬菌の発生や増殖を防止する抗菌層３が形成されている。
【００１４】
繊維素材２に抗菌層３を形成する方法としては、次の方法が採用されている。
図２は繊維素材２に抗菌処理を施す処理装置を示すもので、薬液が収容された薬剤槽４の上流側に、長尺な繊維素材２を折り畳んだ状態で収容した素材供給部５が設置されており、この素材供給部５に収容された繊維素材２は、フィードロールよりなる供給手段６により薬剤槽４へと供給され、薬剤槽４内の薬液に浸漬される。
繊維素材２に白癬菌の発生や増殖を抑制するのに強い効力を有する抗菌層３を形成する薬剤としては、例えば大和化学工業（株）社製の抗菌剤を使用している。
この抗菌剤は、イミダゾール誘導体を主成分とし、外観は乳白色粘調サスペンジョンで、ＰＨは原液で６．５±１．０となっており、イオン性はノニオン、アニオンである。
【００１５】
繊維素材２に含浸させて抗菌層３を形成するに当っては、前記抗菌剤を１．５ｗｔ％に対し水９８．５ｗｔ％の割合で、水に薬剤を添加して薬液を調整し、必要に応じてアクリル樹脂；アニオンを薬剤と同量添加して薬液を調整する。
薬剤槽４内で薬液を調整する場合は、添加薬剤が十分に分散するよう薬液を撹拌し、分散が確認された後に供給手段６により繊維素材２を薬剤槽４内の薬液に浸漬して、繊維素材２に薬液を含浸させる。
薬液が含浸された繊維素材２は、薬剤槽４より引き上げられた直後に、脱水ローラよりなる脱水手段７により約８０％の薬液が脱水された後、乾燥室８へ送られて、乾燥室８内で約８０℃の温風により約３０分間温風乾燥される。
そして温風乾燥後、同じ乾燥室８内において１５０℃の温度で約１分間熱処理（キュア）された後、乾燥室８より搬出され、巻き取り手段９によりロール状に巻き取られて、繊維素材２の抗菌処理を終了する。
【００１６】
抗菌処理が施された繊維素材２は、スリッパ１を製作する工程でスリッパ１の底部１ａとほぼ同じ大きさに裁断された後、縫製手段等により底部１ａの上面に取り付けられるが、完成したスリッパ１は、使用者が履いた際に足の裏が直接触れる面に白癬菌の発生や繁殖を防止する抗菌層３が形成されているため、水虫の保有者が使用したスリッパ１を他人が使用しても、水虫が他人へ伝染するのを未然に防止できる効果が得られるようになる。
【００１７】
なお前記実施の形態では、繊維素材２を薬剤槽４内の薬液に浸漬して、繊維素材２に薬液を含浸させるようにしたが、図３に示すようにノズル１０より繊維素材２に薬液をスプレーして、繊維素材２に薬液を含浸させることにより、抗菌層３を形成してもよく、この場合脱水手段７は不要である。
また履物１の例としてスリッパに実施した場合について説明したが、サンダルや靴、ブーツ、靴の中敷等であっても勿論よい。
これら履物類についても、足の裏が直接触れる面に抗菌処理を施した繊維素材２を使用することにより、スリッパと同様、白癬菌の発生や繁殖を防止することができる。
また履物１がスリッパやサンダル、草履等の場合、繊維素材２に代えて竹や畳等の素材に同様な抗菌処理を施し、得られた竹や畳素材をスリッパやサンダル、草履等の足の裏が直接触れる面に使用しても前記実施の形態と同様な効果が得られる。
【００１８】
一方足の裏が直接接する日用品としては、前記履物の他にマット類がある。
マット類は履物類に比べて洗濯する頻度が高いため、履物類と同一の薬液を使用した場合、洗濯する毎に抗菌効果が低下することがある。
そこでマット類の抗菌処理には、例えば大和化学工業（株）社製の耐洗濯性抗菌剤を使用する。
この耐洗濯性抗菌剤は、イミダゾール誘導体を主成分とし、外観は淡白色液体で、ＰＨは原液で５±１．０となっており、イオン性はカチオンであり、急性毒性は、ＬＤ５０  ２５００ｍｇ／ｋｇである。
【００１９】
マット素材１２に含浸させて抗菌層３を形成するに当っては、１ｗｔ％の耐洗濯性抗菌剤に同量の水を加えてよく攪拌した後、残りの水全量（９９ｗｔ％）を加えて薬剤を調整する。
そして図３に示す処理装置を使用して、マット素材１２にスプレー量１５０ｇ／ｍ２の割合で薬剤をスプレーする。
なおマット素材１２としては、綿、ウール、厚手ナイロン、綿混紡品等が使用可能である。
その後前記実施の形態と同様にしてマット素材１２を温風乾燥後、同じ乾燥室８内において１５０℃の温度で約１分間熱処理（キュア）された後、乾燥室８より搬出され、巻き取り手段９によりロール状に巻き取られて、マット素材１２の抗菌処理が完了する。
【００２０】
以上のようにして抗菌処理されたマット素材１２は、適当な大きさに裁断された後、縫製されて日用品であるトイレマットやバスマット、キッチンマット等のマット類に製品化されるもので、足の裏が直接触れる面に白癬菌の発生や繁殖を防止する抗菌層３が形成されているため、水虫の保有者が使用したマット類を他人が使用しても、水虫が他人へ伝染するのを未然に防止することができる効果が得られる。
また薬剤に耐洗濯性抗菌剤を使用したことから、洗濯を繰り返しても抗菌効果が低下することも少ない。
【００２１】
以下に前記抗菌処理を施した繊維素材２及びマット素材１２に対して効力確認のために、ＪＩＳ  Ｚ−２９１１２０００に準ずる試験方法でカビ抵抗性試験を行った結果を記載する。
試験方法
シヤーレに白癬菌を混合した寒天培地を注ぎ、中央に試験試料を置いて、温度２８℃、湿度９０％の恒温高湿機内に２週間放置し、白癬菌の培養を行った後、恒温高湿機内よりシャーレを取り出して、カビの生え具合から、以下の評価基準により評価を行った。
評価基準
０：試験試料にカビが生えていない。
１：試験試料に１／３を超えない程度カビが生えている。
２：試験試料に１／３を超えるカビが生えている。
評価結果
白癬菌の抗菌処理をしない試験試料には、試験試料が見えなくなるくらい白癬菌が発生していた（評価：３）のに対して、白癬菌の抗菌処理をした試験試料には、試験試料に白癬菌が発生していない（評価：０）だけでなく、白癬菌を試験試料に寄せ付けずにハローが形成されていた。
【００２２】
【発明の効果】
本発明は以上詳述したように、足の裏が直接接する面に、白癬菌の発生を防止する抗菌層を形成したことから、水虫を保有する人の足の裏が日用品に直接触れても、抗菌層が白癬菌の伝染を防止するため、他人が日用品を使用した場合に、他人が水虫になるのを未然に防止することができる。
【００２３】
またスリッパやサンダル、靴、靴の中敷等の履物類の足の裏が直接触れる面を繊維素材や竹、畳等により形成し、かつ繊維素材や竹、畳等に抗菌剤を含浸またはスプレーすることにより抗菌層を形成したことから、水虫を保有する人が使用した履物類を他人が使用した場合でも、白癬菌が履物類を介して他人に感染することがないため、特に不特定多数が使用する病院のスリッパ等に採用することにより、衛生上きわめて有効であると共に、足の裏が直接触れる面に繊維素材や竹、畳等を使用することにより通気性が増すため、抗菌効果はさらに向上する。
【００２４】
さらにトイレマットやバスマット、キッチンマット等のマット類に抗菌剤を含浸またはスプレーすることにより抗菌層を形成したことから、水虫を保有する人の足の裏がマット類に直接触れても、抗菌層が白癬菌の伝染を防止するため、他人がマット類を使用した場合に、他人が水虫になるのを未然に防止することができると共に、抗菌剤に耐洗濯性の高い薬剤を使用することにより、繰り返し洗濯しても抗菌効果が低下することも少ないため、長期間安心して使用することができる。
【図面の簡単な説明】
【図１】本発明の実施の形態になる日用品（スリッパ）の斜視図である。
【図２】図１のＡ−Ａ線に沿う断面図である。
【図３】本発明の実施の形態になる日用品に抗菌処理を施す処理装置の構成図である。
【図４】本発明の実施の形態になる日用品に抗菌処理を施す処理装置の変形例を示す構成図である。
【符号の説明】
１  履物類
２  繊維素材
３  抗菌層
【図１】
2004174089.tif 000003
【図２】
2004174089.tif 000004
【図３】
2004174089.tif 000005
【図４】
2004174089.tif 000006